(57)【要約】【課題】  小型のＬＥＤを用い集光レンズに対応する位置に移動可能に構成することにより、複数種のＬＥＤ光源において同一の集光レンズを用いることが可能となり、小型の複数光源を切替可能な照明装置を提供する。【解決手段】  撮像装置に着脱自在に装着される照明装置であって、集光レンズと、プリント回路基板上に実装され前記集光レンズに対応する位置に配置された第１の光源群と、前記プリント回路基板上の前記第１の光源群の近傍に実装され、かつ前記第１の光源群と異なる色調で発光する第２の光源群と、前記第１の光源群と第２の光源群のいずれか一方を前記集光レンズに対応する位置へ切替可能な光源切替手段を有し、複数から成る光源を選択的に切り替えて使用可能にしたことを特徴とするものである。【選択図】  図２
2006337739.tif 000002
【特許請求の範囲】
【請求項１】
撮像装置に着脱自在に装着される照明装置であって、集光レンズと、プリント回路基板上に実装され前記集光レンズに対応する位置に配置された第１の光源群と、前記プリント回路基板上の前記第１の光源群の近傍に実装され、かつ前記第１の光源群と異なる色調で発光する第２の光源群と、前記第１の光源群と第２の光源群のいずれか一方を前記集光レンズに対応する位置へ切替可能な光源切替手段を有し、複数から成る光源を選択的に切り替えて使用可能にしたことを特徴とする照明装置。
【請求項２】
前記第１の光源群と第２の光源群は、それぞれ１つおき、かつ互い違いに配置されていることを特徴とする請求項１に記載の照明装置。
【請求項３】
前記第１の光源群と第２の光源群の少なくとも１つは、白色ＬＥＤであることを特徴とする請求項１または２に記載の照明装置。
【請求項４】
前記第１の光源群と第２の光源群の少なくとも１つは、他の光源群とは異なる色調の白色ＬＥＤであることを特徴とする請求項１乃至３のいずれかに記載の照明装置。
【請求項５】
前記光源切替手段は、前記複数の光源群あるいは集光レンズのいずれかをスライドさせるものであることを特徴とする請求項１乃至４のいずれかに記載の照明装置。
【発明の詳細な説明】
【技術分野】
【０００１】
本発明は、ビデオカメラ等の撮像装置に装着されるもので、色調の異なる複数種の光源を切り替えて使用可能な照明装置に関するものである。
【背景技術】
【０００２】
撮像装置に装着される照明装置として、以下に示すものが知られている。特許文献１には、ランプの信頼性の向上、あるいは撮影において特殊な照明効果を得るために、複数のランプを備えているものが開示されている。この実施例には、主ランプと予備ランプの２種類のランプを有し、位置切替機構により主ランプが照明を行う基本位置と、予備ランプが照明を行う予備位置との間で移動自在であるランプホルダが記載されている。また、特許文献２には、可視光撮影用のハロゲンランプと暗視撮影用の赤外線発光部とを備えており、電気的な接続を切り替えて光源の点灯状態を切り替えるものが開示されている。
【特許文献１】特開平１０−２６９８３３号公報
【特許文献２】特開平１１−２５２４２４号公報
【発明の開示】
【発明が解決しようとする課題】
【０００３】
上記のような装置は、ランプから発せられた光をレンズやリフレクタを用いることにより集光し装置の前方へ照射するものである。しかしながら、複数種類のランプを照明装置に切替自在に配置する場合には、各々のランプにリフレクタ等を設ける必要があり、こうしたリフレクタはランプ発光部よりも一般的には大きな物となるため照明装置全体は大型のものとなってしまう。
【０００４】
また、各々のランプにリフレクタを設けずに１つのリフレクタの中に複数のランプを設け、各々のランプを電気的に切替可能にして点灯させる手法は、リフレクタを各々のランプに設けていないために小型化には効率が良いが、各々のランプの発光位置が異なるためにどのランプを発光させても同一方向へ照射することがリフレクタのみでは困難となり、光を拡散させて集光するためのレンズ群や特殊な形状の拡散板が必要であり、手間がかかるため効率的ではない。
【課題を解決するための手段】
【０００５】
本発明は、撮像装置に着脱自在に装着される照明装置であって、集光レンズと、プリント回路基板上に実装され前記集光レンズに対応する位置に配置された第１の光源群と、前記プリント回路基板上の前記第１の光源群の近傍に実装され、かつ前記第１の光源群と異なる色調で発光する第２の光源群と、前記第１の光源群と第２の光源群のいずれか一方を前記集光レンズに対応する位置へ切替可能な光源切替手段を有し、複数から成る光源を選択的に切り替えて使用可能にしたことを特徴とする。
【発明の効果】
【０００６】
本発明によれば、高密度実装された小型の発光ダイオード（以下ＬＥＤ）を用い集光レンズに対応する位置に移動可能に構成することにより、複数種のＬＥＤ光源において同一の集光レンズを用いることが可能となり、小型の複数光源を切替可能な照明装置を提供することができるものである。
【発明を実施するための最良の形態】
【０００７】
以下、本発明の照明装置（ビデオライト装置）を図面を参照にして詳細に説明する。
【０００８】
図１に、本実施のビデオライト装置の一実施形態の構成の外観斜視図を示す。図２は、図１に示すビデオライトの構造を示す分解斜視図である。図１および図２において、１はビデオライト本体であり、フロントカバー１１とリアカバー１２とから構成される。２は集光レンズ、３１は第１群の白色ＬＥＤ、３２は第１群の白色ＬＥＤ３１とは色あいの異なる第２群の白色ＬＥＤ、４はプリント回路基板、５はＬＥＤ切替スイッチ、６はＬＥＤ点灯回路基板、７は点灯・消灯スイッチ、８はアクセサリシュー、９はバッテリパックである。
【０００９】
第１群の白色ＬＥＤ３１および第２群の白色ＬＥＤ３２は、プリント回路基板４上に実装されており、ＬＥＤ切替スイッチ５により水平方向にスライドさせることにより、集光レンズ２に対向する位置に第１群の白色ＬＥＤ３１と第２群の白色ＬＥＤ３２のいずれか一方が選択的に配置されるように物理的に位置を切替可能になっている。ここで、第１群の白色ＬＥＤ３１と第２群の白色ＬＥＤ３２は、それぞれ１つおき、かつ互い違いに配置されている。
【００１０】
ＬＥＤ点灯回路基板６は、リアカバー１２にビデオライト本体内部で固定される。本実施形態のビデオライトにおいて、ＬＥＤ点灯回路基板６とプリント回路基板４は不図示のケーブルにより電気的に接続されており、点灯・消灯スイッチ７をＯＮにすることによりバッテリパック９から電力が供給され、ＬＥＤ点灯回路基板６によりＬＥＤを点灯させるように制御され、電気的に接続されたプリント回路基板４上に実装されている第１群の白色ＬＥＤ３１および第２群の白色ＬＥＤ３２の集光レンズ２に対向する位置に配置されている白色ＬＥＤを発光させ、集光レンズ２により光を集光させビデオライト本体の前方へと照射する。
【００１１】
次に本実施例の作用について説明する。
【００１２】
図３に、第１群の白色ＬＥＤ３１が集光レンズ２に対向する位置に配置された状態の断面図を示している。この図に示すように、プリント回路基板４上の白色ＬＥＤのうち、第１群のＬＥＤ３１が発光面を集光レンズ２に対向させて配置されている。バッテリパック９から電力供給され、ＬＥＤ点灯回路基板６により電力制御され、第１群の白色ＬＥＤ３１が発光し、集光レンズ２により集光されビデオライト前方へと照射される。このとき、第２群の白色ＬＥＤ３２へは電力が供給されず消灯している。
【００１３】
次に、ＬＥＤ切替スイッチ５により第２群の白色ＬＥＤ３２が集光レンズ２に対向する位置に配置された状態の断面図を図４に示す。この図に示すように、プリント回路基板４上のＬＥＤのうち、第２群の白色ＬＥＤ３２が発光面を集光レンズ２に対向させて配置されている。バッテリパック９から電力供給され、ＬＥＤ点灯回路基板６により電力制御され、第２群の白色ＬＥＤ３２が発光し、集光レンズ２により集光されビデオライト前方へと照射される。このとき、第一群の白色ＬＥＤ３１へは電力が供給されず消灯している。
【図面の簡単な説明】
【００１４】
【図１】本発明の実施例におけるビデオライトの外観を示す斜視図。
【図２】本発明の実施例におけるビデオライトの構造を示す分解斜視図。
【図３】第一群の白色ＬＥＤを集光レンズに対向する位置に配置したときの部分断面図。
【図４】第二群の白色ＬＥＤを集光レンズに対向する位置に配置したときの部分断面図。
【符号の説明】
【００１５】
１  ビデオライト本体
１１  フロントカバー
１２  リアカバー
２  集光レンズ
３１  第１群の白色ＬＥＤ
３２  第２群の白色ＬＥＤ
４  プリント回路基板
５  ＬＥＤ切替スイッチ
６  ＬＥＤ点灯回路基板
７  点灯・消灯スイッチ
【図１】
2006337739.tif 000003
【図２】
2006337739.tif 000004
【図３】
2006337739.tif 000005
【図４】
2006337739.tif 000006